(57)【要約】【課題】超音波魚群探知機において、単周波魚群探知機又は２周波併画式魚群探知機では、同一の深度レンジで感度を可変する場合、その都度受信回路３で感度を調整しなければならなかったり、受信回路３を複数個接続しなければならないという問題があった。【解決手段】第１、第２の超音波振動子からの反射波信号は受信回路１３に入力され、Ａ／Ｄ変換器１４でデジタル信号に変換され、第１の超音波振動子９ａからのデジタル反射波信号は第１の記憶装置１５で記憶され、第１、第２の超音波振動子９ａ、９ｂからの超音波の反射波信号はＡ／Ｄ変換器１４でデジタル信号に変換され、Ａ／Ｄ変換器１４から出力された第１、第２の超音波振動子９ａ、９ｂからのデジタル反射波信号は第２の記憶装置１６で記憶され、第１、第２の記憶装置１５、１６からの出力は制御回路１７で画像信号に変換して、表示装置１８で併記するように構成されている。【選択図】        図１
2004212235.tif 000002
【特許請求の範囲】
【請求項１】
送信回路と、該送信回路に接続された第１の超音波振動子と、前記送信回路にスイッチング回路を介して接続された第２の超音波振動子と、前記スイッチング回路をオン・オフする出力制御回路と、前記第１、第２の超音波振動子で受信した反射波を増幅する受信器と、該受信器の出力をデジタル信号に変換するＡ／Ｄ変換器と、該Ａ／Ｄ変換器の出力で第１の超音波振動子からの反射波ジタル信号を記憶する第１の記憶装置と、前記Ａ／Ｄ変換器の出力で第１、第２の超音波振動子からの反射波デジタル信号を記憶する第２の記憶装置と、前記第１、第２の記憶装置からの出力信号をそれぞれ読み出して画像信号に変換する制御回路と、該制御回路の出力を画面に併記して表示する表示装置からなることを特徴とする超音波魚群探知機。
【発明の詳細な説明】
【０００１】
【発明が属する技術分野】
本発明は、超音波振動子の１つ又は２つを駆動して出力し、順次受信して表示するようにした魚群探知機に関するものである。
【０００２】
【従来の技術】
従来、超音波魚群探知機は、図３に示すように、発振器１からの発振出力によって超音波振動子２から水中に照射した超音波の反射波を超音波振動子２で受信し、この反射波を受信回路３で増幅してＡ／Ｄ変換器４でデジタル信号に変換し、このデジタル信号を一旦記憶装置５に記憶し、この記憶装置５に記憶された信号を順次読み出して画像信号変換器６に入力して変換し、この画像信号変換器６の出力を表示装置７で表示するようにしている。
【０００３】
【発明が解決しようとする課題】
しかしながら、このような超音波魚群探知機において、単周波魚群探知機又は２周波併画式魚群探知機では、同一の深度レンジで感度を可変する場合、その都度受信回路３で感度を調整しなければならなかったり、又、受信回路３を複数個接続しなければならないという問題があった。
【０００４】
【課題を解決しようとする手段】
本発明は、送信回路と、該送信回路に接続された第１の超音波振動子と、前記送信回路にスイッチング回路を介して接続された第２の超音波振動子と、前記スイッチング回路をオン・オフする出力制御回路と、前記第１、第２の超音波振動子で受信した反射波を増幅する受信器と、該受信器の出力をデジタル信号に変換するＡ／Ｄ変換器と、該Ａ／Ｄ変換器の出力で第１の超音波振動子からの反射波ジタル信号を記憶する第１の記憶装置と、前記Ａ／Ｄ変換器の出力で第１、第２の超音波振動子からの反射波デジタル信号を記憶する第２の記憶装置と、前記第１、第２の記憶装置からの出力信号をそれぞれ読み出して画像信号に変換する制御回路と、該制御回路の出力を画面に併記して表示する表示装置からなるものである。
【０００５】
【発明の実施の形態】
本発明では、第１の超音波振動子から超音波を送受信し、第１、第２の超音波振動子を同時に駆動して超音波を送受信し、第１の超音波振動子からの超音波の反射波デジタル信号は第１の記憶装置で記憶し、第１、第２の超音波振動子からの超音波の反射波デジタル信号は第２の記憶装置で記憶し、第１、第２の記憶装置でそれぞれ記憶された信号を読み出して、表示装置の１つの画面に併記することにより、超音波の出力の違いにより感度の異なる２種類の画像表示を行うことができる。
【０００６】
【実施例】
図１は本発明の実施例の魚群探知機のブロック図で、送信回路８に第１の超音波振動子９ａが接続され、第２の超音波振動子９ｂはスイッチング回路１０を介して送信回路８に接続され、出力制御回路１１はスイッチング回路１０を切り替えるとともに、その切り替え時に送信回路８の出力を制御し、第１、第２の超音波振動子からの反射波信号は感度設定器１２を接続した受信回路１３に入力されて増幅され、この増幅された反射波信号はＡ／Ｄ変換器１４でデジタル信号に変換され、Ａ／Ｄ変換器１４から出力された第１の超音波振動子９ａからのデジタル反射波信号は第１の記憶装置１５で記憶され、又、第１、第２の超音波振動子９ａ、９ｂからの超音波の反射波信号はＡ／Ｄ変換器１４でデジタル信号に変換され、Ａ／Ｄ変換器１４から出力された第１、第２の超音波振動子９ａ、９ｂからのデジタル反射波信号は第２の記憶装置１６で記憶され、第１、第２の記憶装置１５、１６からの出力は制御回路１７で画像信号に変換して、表示装置１８で併記するように構成されている。
【０００７】
このように構成された本実施例の魚群探知機では、まず、出力制御回路１１からの信号でスイッチング回路１０をオフにして、送信回路８を駆動して送信信号が出力されると、第１の超音波振動子９ａから超音波が水中に照射され、この超音波の反射波は超音波振動子９ａで受信されて受信回路１２に入力されて増幅され、又、Ａ／Ｄ変換器１４で第１の超音波振動子９ａからの反射波デジタル信号に変換されて第１の記憶装置１５で記憶され、さらに、出力制御回路１１からの信号でスイッチング回路１０がオンされて、送信回路８から送信信号が出力されると、第１、第２の超音波振動子９ａ、９ｂから超音波が水中に照射され、この超音波の反射波は第１、第２の超音波振動子９ａ、９ｂでそれぞれ受信されて受信回路１２で増幅され、Ａ／Ｄ変換器１４で強い反射波デジタル信号に変換されて第２の記憶装置１５で記憶され、第１の超音波振動子９ａからの反射波デジタル信号と第１、第２の超音波振動子９ａ、９ｂからの反射波デジタル信号は順次繰り返し第１、第２の記憶装置１５、１６で記憶され、第１、第２の記憶装置１５、１６でそれぞれ記憶された第１の超音波振動子９ａの反射波デジタル信号と第１、第２の超音波振動子９ｂからの反射波デジタル信号は制御回路１７でそれぞれの画像信号に変換されて表示装置１８のそれぞれの領域に第１の超音波振動子９ａからの反射波信号の画像信号と第１、第２の超音波振動子９ｂからの反射波信号の画像信号が表示される。
【０００８】
本実施例では、このように第１の記憶装置１４から読み出された第１の超音波振動子９ａからの反射波信号の画像信号と第２の記憶装置１５から読み出された第１、、第２の超音波振動子９ａ、９ｂからの強い反射波信号の画像信号とを表示装置１７でそれぞれの領域に表示することにより、第１の超音波振動子９ａからの反射波信号の画像信号の表示は感度を下げた画像となり、又、第１、第２の超音波振動子９ａ、９ｂからの反射波信号の画像信号の表示は、感度の上げた画像となり、浅い海及び深い海の魚群の状態が判別し易くなる。
【０００９】
【発明の効果】
以上説明したように、本発明の魚群探知機は、第１の超音波振動子から超音波を送受信し、第１、第２の超音波振動子を同時に駆動して超音波を送受信し、第１の超音波振動子からの超音波の反射波デジタル信号は第１の記憶装置で記憶し、第１、第２の超音波振動子からの超音波の反射波デジタル信号は第２の記憶装置で記憶し、第１、第２の記憶装置でそれぞれ記憶された信号を読み出して、表示装置の１つの画面に併記することによって、超音波の出力の違いによる感度の異なる２種類の画像表示を行うことができ、それによって、浅い海及び深い海の魚群の状態が判別し易くなるという利点がある。
【図面の簡単な説明】
【図１】本発明の実施例の魚群探知機のブロック図である。
【図２】従来の超音波魚群探知機のブロック図である。
【符号の説明】
８              送信回路
９ａ、９ｂ      超音波振動子
１０            スイッチング回路
１１            出力制御回路
１２            感度設定器
１３            受信回路
１４            Ａ／Ｄ変換器
１５            第１の記憶装置
１６              第２の記憶装置
１７            制御回路
１８            表示装置
【図１】
2004212235.tif 000003
【図２】
2004212235.tif 000004